(57)【要約】  【課題】冗長構成を有する光リングネットワークについて、現用系運用中でもネットワーク上のすべての光伝送装置の予備系の正常動作を確認できる予備系診断方法を提供する。  【解決手段】本予備系診断方法は、ネットワーク上の任意の光伝送装置に診断開始指令を与えると、その光伝送装置は、擬似信号を予備系ユニットに与えて動作状態を診断し、その結果を現用系光チャネルのオーバヘッド情報を利用して下流側の光伝送装置に伝達する。下流側の光伝送装置は、上流側の正常動作を確認した後、擬似信号を用いて予備系ユニットの動作状態を診断し、その結果に対応させて現用系光チャネルのオーバヘッド情報を更新してさらに下流側の光伝送装置に伝達する。そして、リングネットワークを一周した現用系光チャネルのオーバヘッド情報に応じてネットワーク上のすべての光伝送装置の予備系ユニットの正常動作が確認されることで予備系診断が終了する。  【選択図】図５
2005217904.tif 000002
【特許請求の範囲】
【請求項１】
現用系ユニットおよび予備系ユニットからなる冗長構成を有する複数の光伝送装置を備え、該複数の光伝送装置のうちの隣り合う光伝送装置の間を、現用系光チャネルおよび予備系光チャネルが伝搬可能な複数の光伝送路を用いて相互に接続してリング状の光通信網を形成した光リングネットワークについて、前記各光伝送装置間のデータ伝送を前記現用系光チャネルを用いて運用している間に、前記予備系光チャネルを用いたデータ伝送が正常に行えるか否かを診断するための予備系診断方法であって、
前記複数の光伝送装置のうちのいずれか１つの光伝送装置に対して予備系診断を開始させるための指令を与え、
該指令の与えられた光伝送装置は、運用中のデータ信号とは異なる擬似信号を自装置内で生成し、該擬似信号を自装置内の予備系ユニットに与え、当該擬似信号の伝送状態を基に前記予備系ユニットが正常に動作しているか否かを検出し、その検出結果を示す情報を運用中の現用系光チャネルの所定領域を利用して下流側の光伝送装置に伝達し、
該下流側の光伝送装置は、前記現用系光チャネルの所定領域のデータに応じて、上流側の光伝送装置の予備系ユニットが正常に動作していることを確認した後、自装置内で前記擬似信号を生成し、該擬似信号を自装置内の予備系ユニットに与え、当該擬似信号の伝送状態を基に前記予備系ユニットが正常に動作するか否かを検出し、その検出結果に対応させて前記運用中の現用系光チャネルの所定領域のデータを更新してさらに下流側の光伝送装置に伝達し、
前記指令の与えられた光伝送装置は、リングネットワークを一周した前記現用系光チャネルの所定領域のデータに応じて、リングネットワーク上のすべての光伝送装置の予備系ユニットの正常動作を確認し、予備系診断の終了を示す情報を出力することを特徴とする光リングネットワークの予備系診断方法。
【請求項２】
請求項１に記載の予備系診断方法であって、
前記複数の光伝送装置は、それぞれ、隣り合う光伝送装置の一方の側に繋がる光伝送路が接続される第１インターフェースユニットと、隣り合う光伝送装置の他方の側に繋がる光伝送路が接続される第２インターフェースユニットと、該第１および第２インターフェース部の間で伝達される現用系光チャネルおよび予備系光チャネルの切り替えを行う現用系スイッチユニットおよび予備系スイッチユニットと、該現用系および予備系スイッチユニットの切り替え動作を制御する制御ユニットと、前記擬似信号を送信する擬似信号送信手段と、前記擬似信号を受信する擬似信号受信手段と、を備え、前記予備系診断時には、前記擬似信号送信手段から送信される擬似信号が前記予備系スイッチユニット内を通って前記擬似信号受信手段で受信され、該擬似信号の受信状態に応じて前記予備系スイッチユニットが正常に動作するか否かが検出されることを特徴とする光リングネットワークの予備系診断方法。
【請求項３】
請求項２に記載の予備系診断方法であって、
前記指令の与えられた光伝送装置は、リングネットワーク上のすべての光伝送装置の予備系スイッチユニットの正常動作を確認した後、前記擬似信号送信手段で生成した擬似信号を前記予備系光チャネルを利用して下流側の光伝送装置に送出すると共に、該送出した擬似信号に関する情報を運用中の現用系光チャネルの所定領域を利用して下流側の光伝送装置に伝達し、
該下流側の光伝送装置は、前記現用系光チャネルの所定領域のデータに応じて、上流側の光伝送装置から予備系光チャネルを用いて送られる擬似信号を受信し、該擬似信号の受信状態に基づいて、前記上流側の光伝送装置との間の予備系光チャネルに対応したインターフェースユニットおよび光伝送路が正常な状態にあるか否かを検出し、その検出結果に対応させて前記運用中の現用系光チャネルの所定領域のデータを更新してさらに下流側の光伝送装置に伝達し、
前記指令の与えられた光伝送装置は、リングネットワークを一周した前記現用系光チャネルの所定領域のデータに応じて、リングネットワーク上のすべての光伝送装置間の予備系光チャネルに対応したインターフェースユニットおよび光伝送路の正常状態を確認し、予備系診断の終了を示す情報を出力することを特徴とする光リングネットワークの予備系診断方法。
【請求項４】
請求項３に記載の予備系診断方法であって、
前記複数の光伝送装置は、現用系運用中に前記予備系光チャネルの一部を利用してデータ伝送を行っているとき、当該予備系光チャネルを除いた他の予備系光チャネルを利用して前記擬似信号を下流側の光伝送装置に送出すると共に、該擬似信号の送出に用いる予備系光チャネルに関する情報を予備系光チャネルの所定領域を利用して下流側の光伝送装置に伝達することを特徴とする光リングネットワークの予備系診断方法。
【請求項５】
請求項１〜４のいずれか１つに記載の予備系診断方法を用いた光リングネットワーク。
【発明の詳細な説明】
【技術分野】
【０００１】
本発明は、現用系と予備系の冗長構成を有する光リングネットワークにおいて光回線および光伝送装置が正常に動作する否かを診断するための技術に関し、特に、現用系運用中に予備系側の状態を診断する方法およびそれを用いた光リングネットワークに関する。
【背景技術】
【０００２】
例えば、光ファイバーを用いた高速デジタル通信方式の１つとして知られているＳＯＮＥＴ（Synchronous Optical NETwork）等に対応した光伝送装置においては、現用系および予備系からなる冗長構成を用いて光信号を伝送することにより、障害発生時の回線救済が瞬時に行われるようになっている。
このような光伝送装置を用いて構築された光ネットワークにおける冗長構成とは、大きく２つの意味を持っており、その１つは、光ファイバ伝送線路そのものの冗長を意味し、もう１つは、光伝送装置内部での信号処理機器の冗長を意味する。冗長構成を有する光ネットワークにおいては、現用系の光回線または光伝送装置の障害発生という事態に備え、予備系の光回線および光伝送装置が正常な状態にあることを常に把握しておくのが重要となる。
【０００３】
しかしながら、従来の光ネットワークでは、現用系運用中に予備系側の状態を診断する機能を有しておらず、現用系側に障害が発生した後、予備系側への救済機能が働いてから、予備系の光回線および光伝送装置の状態が把握されていた。このため、現用系から予備系への切り替えが行われても、予備系側に断線や故障等の障害が発生していると、運用中の光チャネルが実際には救済されないという事態が生じてしまい、問題となっていた。
【０００４】
上記のような問題点に対処するため、例えば、冗長構成を有する光伝送装置について、予備系側の状態を確認するにあたり、現用系側との通信に影響を与えずに、予備系側に試験データを送るようにすることによって、現用系および予備系の切り替えを行うことなく予備系側の正常動作を確認する技術が提案されている（例えば、特許文献１参照）。
【特許文献１】特開平７−１５７５７号公報
【発明の開示】
【発明が解決しようとする課題】
【０００５】
しかし、上記のような従来の技術における予備系側の診断は、光ネットワークを構成する個々の光伝送装置内に閉じた状態で行われるため、光ネットワーク全体について予備系の光回線および光伝送装置の正常状態を確認することが難しいという課題がある。特に、前述したＳＯＮＥＴでサポートするＢＬＳＲ（Bi-directional Line Switched Ring）などのようなリング型の光ネットワークにおいては、ネットワーク全体のレベルで予備系の正常状態が把握されていないと、現用系の障害発生時に運用中の光チャネルを確実に救済することが困難になってしまう。
【０００６】
また、例えば、現用系運用中に予備系の光回線にもデータ信号を通して伝送容量を増大させるＰＣＡ（Protection Channel Access）方式が採用された光ネットワークの場合には、通常運用時にＰＣＡ回線を伝送されるデータ信号を中断させることなく予備系側の故障検出を行うことが容易ではないため、予備系側の故障検出がより困難なものになっていた。
【０００７】
本発明は、上記の点に着目してなされたもので、冗長構成を有する光リングネットワークについて、現用系運用中でもネットワーク上のすべての光伝送装置の予備系の正常状態を確認できる予備系診断方法と、その予備系診断方法を用いた光リングネットワークとを提供することを目的とする。
【課題を解決するための手段】
【０００８】
上記の目的を達成するため本発明は、現用系ユニットおよび予備系ユニットからなる冗長構成を有する複数の光伝送装置を備え、該複数の光伝送装置のうちの隣り合う光伝送装置の間を、現用系光チャネルおよび予備系光チャネルが伝搬可能な複数の光伝送路を用いて相互に接続してリング状の光通信網を形成した光リングネットワークについて、前記各光伝送装置間のデータ伝送を前記現用系光チャネルを用いて運用している間に、前記予備系光チャネルを用いたデータ伝送が正常に行えるか否かを診断するための予備系診断方法であって、次の（１）〜（４）に示すような手順を含んだ方法である。
（１）前記複数の光伝送装置のうちのいずれか１つの光伝送装置に対して予備系診断を開始させるための指令を与える。
（２）（１）で指令の与えられた光伝送装置は、運用中のデータ信号とは異なる擬似信号を自装置内で生成し、該擬似信号を自装置内の予備系ユニットに与え、当該擬似信号の伝送状態を基に前記予備系ユニットが正常に動作しているか否かを検出し、その検出結果を示す情報を運用中の現用系光チャネルの所定領域を利用して下流側の光伝送装置に伝達する。
（３）下流側の光伝送装置は、前記現用系光チャネルの所定領域のデータに応じて、上流側の光伝送装置の予備系ユニットが正常に動作していることを確認した後、自装置内で前記擬似信号を生成し、該擬似信号を自装置内の予備系ユニットに与え、当該擬似信号の伝送状態を基に前記予備系ユニットが正常に動作するか否かを検出し、その検出結果に対応させて前記運用中の現用系光チャネルの所定領域のデータを更新してさらに下流側の光伝送装置に伝達する。
（４）（１）で指令の与えられた光伝送装置は、リングネットワークを一周した前記現用系光チャネルの所定領域のデータに応じて、リングネットワーク上のすべての光伝送装置の予備系ユニットの正常動作を確認し、予備系診断の終了を示す情報を出力する。
【０００９】
上記のような予備系診断方法では、現用系光チャネルの運用中においても、リングネットワーク上の各光伝送装置で擬似信号を用いた予備系ユニットの診断（故障検出）が行われ、現用系光チャネルによるデータ伝送に影響を与えることなく予備系ユニットが正常に動作するか否かが検出される。この各光伝送装置における予備系ユニットの診断は、（１）で指令の与えられた光伝送装置から開始され、現用系光チャネルの所定領域のデータを利用して上流側の光伝送装置の正常動作が確認されることで下流側の光伝送装置における診断が順次実施されていく。そして、リングネットワークを一周した現用系光チャネルの所定領域のデータにより、診断の始点となった光伝送装置においてリングネットワーク上のすべての光伝送装置の正常動作が確認されるようになる。
【発明の効果】
【００１０】
上記のような本発明の予備系診断方法によれば、現用系に障害が発生する以前に、光リングネットワーク上のすべての光伝送装置における予備系ユニットの正常動作を把握しておくことが可能になる。また、光リングネットワーク上の任意の光伝送装置に対して診断を開始させるための指令を与えるだけで、リングネットワーク上のすべての光伝送装置の予備系診断を自動的に行うことができる。よって、冗長構成を備えた光リングネットワークにおける障害発生時の回線救済を確実かつ容易に実現することができるようになり、光リングネットワークの信頼性向上を図ることが可能になる。
【発明を実施するための最良の形態】
【００１１】
以下、本発明を実施するための最良の形態について添付図面を参照しながら説明する。なお、全図を通して同一の符号は同一または相当部分を示すものとする。
図１は、本発明による予備系診断方法が適用される光リングネットワークの一実施形態を示す構成図である。また、図２は、図１の光リングネットワークの各ノードに設けられる光伝送装置（光ノード装置）のユニット構成を例示した図である。さらに、図３は、図２の光ノード装置に関する具体的な機能ブロック図である。
【００１２】
まず、図１において、本発明の予備系診断方法の適用対象となる光リングネットワークは、例えばＳＯＮＥＴでサポートするＢＬＳＲに対応したネットワーク構成を有する。具体的に、この光リングネットワークは、例えば４つの光ノード装置ＮＥ＿Ａ、ＮＥ＿Ｂ、ＮＥ＿Ｃ、ＮＥ＿Ｄを備え、隣り合う光ノード装置ＮＥ＿Ａ〜ＮＥ＿Ｄの間を光伝送路としての２本の光ファイバ伝送線路Ｆ１、Ｆ２を用いて相互に接続して、リング状の光通信ネットワークを構成する。また、各光ノード装置ＮＥ＿Ａ〜ＮＥ＿Ｄは、リングネットワークに対して光信号（光チャネル）を分岐または挿入するインターフェースをそれぞれ有し、そのインターフェースにはリングネットワーク外に繋がる光ファイバ伝送線路が接続されている。なお、ここでは４つのノードを有する構成を一例として示したが、本発明におけるノード数はこれに限定されるものではない。
【００１３】
光ファイバ伝送線路Ｆ１は、各光ノード装置ＮＥ＿Ａ〜ＮＥ＿Ｄを周回する第１リングを形成し、波長の異なる複数の光信号が一方向（例えば、左回り）で伝送される。また、光ファイバ伝送進路Ｆ２は第２リングを形成し、光ファイバ伝送線路Ｆ１を伝送される光信号とは波長が異なる複数の光信号が逆方向（例えば、右回り）で伝送される。各光ファイバ伝送線路Ｆ１、Ｆ２は、例えば各々の伝送容量が２等分され、一方が現用系光チャネルとして使用され、他方が予備系光チャネルとして使用される。
【００１４】
各光ノード装置ＮＥ＿Ａ〜ＮＥ＿Ｄは、例えば図２に示すように、複数のインターフェースユニット（ＩＮＦ）１０と、各インターフェースユニット１０間の接続状態を切り替え制御するスイッチユニット（ＳＷ）２０と、ネットワーク保守者とのインターフェースを持ち、スイッチユニット２０の監視制御を行うＣＰＵユニット３０と、を備える。
複数のインターフェースユニット１０のうちの図２に太線で囲んだインターフェースユニット１０Ｅは、光ノード装置の一方の側（ここではＥＡＳＴ側とする）に接続される光ファイバ伝送線路Ｆ１、Ｆ２に対して光信号を入出力する第１インターフェースである。また、インターフェースユニット１０Ｗは、光ノード装置の他方の側（ここではＷＥＳＴ側とする）に接続される光ファイバ伝送線路Ｆ１、Ｆ２に対して光信号を入出力する第２インターフェースである。なお、各光ノード装置ＮＥ＿Ａ〜ＮＥ＿Ｄには、リングネットワークに対応したインターフェースユニット１０Ｅ、１０Ｗの他にも、各種機能に対応したインターフェースユニット（例えばリングネットワーク外に繋がる光ファイバ伝送線路に対して光信号を入出力する第３インターフェースなど）が具備されている。
【００１５】
さらに、上記のインターフェースユニット１０Ｅは、図３の機能ブロック図に示すように、光ファイバ伝送線路Ｆ２からの光信号を受ける受信インターフェース部（ＩＦ−Ｒｘ）１１Ｅおよび光ファイバ伝送線路Ｆ１に光信号を送る送信インターフェース部（ＩＦ−Ｔｘ）１２Ｅを有する。また、インターフェースユニット１０Ｗも、インターフェースユニット１０Ｅと同様に、光ファイバ伝送線路Ｆ１からの光信号を受ける受信インターフェース部１１Ｗおよび光ファイバ伝送線路Ｆ２に光信号を送る送信インターフェース部１２Ｗを有する。
【００１６】
スイッチユニット２０は、冗長構成になっており、現用系スイッチユニット２０Ａおよびと予備系スイッチユニット２０Ｓからなる。各スイッチユニット２０Ａ、２０Ｓは、図３の機能ブロック図に示すように、受信インターフェース部１１Ｅ、１１Ｗと送信インターフェース部１２Ｅ、１２Ｗの間における現用系光チャネル（実線矢印）および予備系光チャネル（破線矢印）の接続状態を切り替えるための信号処理回路２１を備えている。また、送信インターフェース部１２Ｅ、１２Ｗは、各スイッチユニット２０Ａ、２０Ｓから出力される現用系および予備系の光チャネルを選択的に光ファイバ伝送線路Ｆ１、Ｆ２に送るセレクタ１３を備えている。
【００１７】
ここで、上記のスイッチユニット２０について具体例を挙げて詳しく説明する。
図４は、各光ノード装置に用いられるスイッチユニットの具体的な構成例を示す図である。図４に示すスイッチユニット２０は、受信インターフェース部１１Ｅ、１１Ｗと送信インターフェース部１２Ｅ、１２Ｗの間における現用系光チャネルおよび予備系光チャネルの接続切り替えを実行する、スイッチ回路（ＳＷ）４１−１、４１−２、タイムスロット割当回路４２、サービスセレクタ回路（ＳＳ）４３−１、４３−２、４３−３、４３−４およびブリッジ回路（ＢＲ）４４−１、４４−２を備える。また、スイッチユニット２０は、上記の接続切り替えを実行する各回路の動作および各々の回路間の接続状態が正常であるか否かを診断するための、第１テスト信号発生・受信回路４５およびループバックセレクタ回路４６並びに第２テスト信号発生回路４７および第２テスト信号受信回路４８を有する。さらに、スイッチユニット２０は、各受信インターフェース部１１Ｅ、１１Ｗから出力される光信号のパスオーバヘッド（ＰＯＨ）に含まれるＣ２バイトを検出するためのＣ２バイトモニタ回路４９を含む。なお、上記スイッチユニットを構成する各回路は、ＣＰＵバス３１を介してＣＰＵユニット３０にインターフェースされており、後述するような各種のソフトウェア処理が実行される。
【００１８】
スイッチ回路４１−１は、受信インターフェース部１１Ｅからの現用系光チャネルと受信インターフェース部１１Ｗからの予備系光チャネルとを選択的に切り替えて送信インターフェース部１２Ｗに送る回路である。また、スイッチ回路４１−２は、受信インターフェース部１１Ｗからの現用系光チャネルと受信インターフェース部１１Ｅからの予備系光チャネルとを選択的に切り替えて送信インターフェース部１２Ｅに送る回路である。
【００１９】
タイムスロット割当回路４２およびサービスセレクタ回路４３−１〜４３−４は、ＣＵＰユニット３０からの制御信号に従って、受信インターフェース部１１Ｅ、１１Ｗからの各光チャネルを送信インターフェース部１２Ｅ、１２Ｗに送るかまたはリングネットワーク外に繋がる他のインターフェース部に分岐するかを選択すると共に、他のインターフェース部からの光チャネルまたは第２テスト信号発生回路４７からの第２テスト信号を送信インターフェース部１２Ｅ、１２Ｗに向けて挿入するかを選択する。
【００２０】
ブリッジ回路４４−１は、各サービスセレクタ回路４３−２、４３−３から出力される光チャネルを選択的に切り替えて送信インターフェース部１２Ｗに送る回路である。また、ブリッジ回路４４−２は、各サービスセレクタ回路４３−１、４３−４から出力される光チャネルを選択的に切り替えて送信インターフェース部１２Ｅに送る回路である。
第１テスト信号発生・受信回路４５は、ＣＵＰユニット３０からの制御信号に従って、ネットワーク上を伝送される光信号とは異なる、例えば疑似ランダムパターン（ＰＮパターン）等を有する第１テスト信号を発生し、その第１テスト信号をループバックセレクタ回路４６を介して受信インターフェース部１１Ｅ、１１Ｗおよび送信インターフェース部１２Ｅ、１２Ｗの間の各信号線路上に与える。また、第１テスト信号発生・受信回路４５は、受信インターフェース部１１Ｅ、１１Ｗおよび送信インターフェース部１２Ｅ、１２Ｗの間の各信号線路上を伝搬した第１テスト信号を取り出して受信し、その受信状態を示す信号をＣＵＰユニット３０に伝える。
【００２１】
第２テスト信号発生回路４７は、ＣＵＰユニット３０からの制御信号に従って、ネットワーク上を伝送される光信号とは異なる、例えば疑似ランダムパターン（ＰＮパターン）等を有する第２テスト信号を発生し、その第２テスト信号をタイムスロット割当回路４２およびサービスセレクタ回路４３−１〜４３−４を介して受信インターフェース部１１Ｅ、１１Ｗおよび送信インターフェース部１２Ｅ、１２Ｗの間の各信号線路上に与える。
【００２２】
第２テスト信号受信回路４７は、タイムスロット割当回路４２からサービスセレクタ回路４３−１〜４３−４、第１テスト信号発生・受信回路４５およびループバックセレクタ回路４６を介してタイムスロット割当回路４２にループバックされてきた第２テスト信号を受信し、その受信状態を示す信号をＣＵＰユニット３０に伝える。
なお、上記のような構成では、第１テスト信号および第２テスト信号が擬似信号に相当し、第１テスト信号発生・受信回路４５および第２テスト信号発生回路４７が擬似信号送信手段としての機能を備え、また、第１テスト信号発生・受信回路４５および第２テスト信号受信回路４７が擬似信号受信手段としての機能を備えることになる。
【００２３】
Ｃ２バイトモニタ回路４９は、後述するようにインターフェースユニットの故障検出時に送信されるテスト信号のパスオーバヘッド（ＰＯＨ）に含まれるＣ２バイトをモニタし、その結果をＣＵＰユニット３０に送る。ＣＵＰユニット３０では、Ｃ２バイトの値に基づいて、前段の光ノード装置から送信されるテスト信号に対する受信接続設定（タイムスロットの割り当て）が行われる。
【００２４】
次に、上述したような光リングネットワークにおいて実施される予備系診断の動作について説明する。
図５は、光リングネットワーク全体における予備系診断の流れを示す第１のフローチャートである。
上記の予備系診断では、まず図５のステップ１（図中Ｓ１で示し、以下同様とする）において、ネットワーク保守者により診断オペレーションコマンドが任意の光ノード装置（ここでは、例えば光ノード装置ＮＥ＿Ａとする）に投入される。この診断オペレーションコマンドは、光ノード装置ＮＥ＿ＡのＣＰＵユニット３０に与えられる。これにより、ステップ２では、光ノード装置ＮＥ＿Ａが診断オペレーションのマスター局に設定される。続いて、ステップ３では、リングネットワーク上の各光ノード装置のスイッチユニットについての診断（故障検出）が例えば左回り、すなわち、光ノード装置ＮＥ＿Ａ、ＮＥ＿Ｂ、ＮＥ＿Ｃ、ＮＥ＿Ｄの順番で逐次実行される。
【００２５】
具体的に、マスター局となった光ノード装置ＮＥ＿Ａでは、まず、現用系および予備系の各スイッチユニット２０Ａ，２０Ｓのうちの予備系側についての故障検出が開始される。なお、後述するように本診断処理ではスイッチユニットの現用系と予備系の切り替えが途中で行われるため、以下の動作説明では、冗長構成のスイッチユニット２０の一方をスロット１（ＳＬ１）、他方をスロット２（ＳＬ２）として区別することにする。この場合、上記のステップ２では、光ノード装置ＮＥ＿Ａのスロット２側のスイッチユニットが診断対象に設定される。
【００２６】
また、上記のステップ３と同時に、ステップ４では、スイッチユニットのスロット２側の診断が行われている状態を示す情報が、光ノード装置ＮＥ＿Ａから光ノード装置ＮＥ＿Ｂに送られる現用系光チャネルのトランスポートオーバヘッド（ＴＯＨ）のＥ２＃２バイトを利用して、光ノード装置ＮＥ＿Ｂに伝達される。
図６は、ＴＯＨのＥ２＃２バイトの具体的な運用例をまとめたものである。この運用例では、冗長構成のスイッチユニットの故障検出を行っている状態を示すコードとしてＡｘｈ（ただし、ｘｈは１６進数で表した任意の数値）が割り当てられる。また、後述するインターフェースユニットおよび予備系光回線の診断が行われている状態を示すコードとしてＢｘｈが割り当てられ、一連の診断処理が完了したことを示すコードとしてＦｘｈが割り当てられる。さらに、上記のＡｘｈコードについては、Ａ１が待機中を示し、Ａ２がスロット１側のスイッチユニットのテスト中を示し、Ａ３がスロット２側のスイッチユニットのテスト中を示し、Ａ４がスロット１またはスロット２のいずれかのテストに失敗したこと（スイッチユニットの故障）を示し、Ａ５がスロット１およびスロット２のテストに成功したこと（スイッチユニットの正常）を示すものとする。
【００２７】
このような運用例においては、上記のステップ４で、ＴＯＨのＥ２＃２バイトをＡ３コードに設定した光信号が現用系の光回線を介して光ノード装置ＮＥ＿Ａから光ノード装置ＮＥ＿Ｂに送られる。
光ノード装置ＮＥ＿Ａからの光信号を受信した光ノード装置ＮＥ＿Ｂでは、ステップ５において、受信光のＴＯＨのＥ２＃２バイトの値が検出され、その結果がＣＰＵユニット３０に送られることで待機状態となる。また、光ノード装置ＮＥ＿Ｂから光ノード装置ＮＥ＿Ｃに送られる光信号のＴＯＨのＥ２＃２バイトが待機中を示すＡ１コードに設定される。以降、ステップ６では、上記と同様にして前段の光ノード装置が待機中にあることを後段の光ノード装置が認識して待機状態となり、待機中を示す光信号が後続の光ノード装置に順次送られる。図７は、上記のステップ１〜６の一連の処理の流れを模式的に示したものである。なお、図７中に示した（Ｓ１）〜（Ｓ６）は、図５のフローチャートの各ステップに対応している。
【００２８】
ここで、光ノード装置ＮＥ＿Ａにおいて実施される予備系（スロット２）スイッチユニットの故障検出動作について具体的に説明する。光ノード装置ＮＥ＿Ａでは、ネットワーク保守者からの診断オペレーションコマンドを受けたＣＵＰユニット３０が、スイッチユニットの各回路に制御信号を送ることによって、第１テスト信号を利用した故障検出と、第２テスト信号を利用した故障検出とが順次実行される。具体的に、第１テスト信号を利用した故障検出は、第１テスト信号発生・受信回路４５で生成された第１テスト信号がループバックセレクタ回路４６により予備系側の信号線路上に与えられる。このとき、サービスセレクタ回路４３−１〜４３−４はスルー側に制御されていて、ループバックセレクタ回路４６から予備系側の信号線路上に送られた第１テスト信号がサービスセレクタ回路を通過して第１テスト信号発生・受信回路４５にループバックされる。第１テスト信号発生・受信回路４５では、ループバックされた第１テスト信号が受信され、その受信状態を示す信号がＣＰＵユニットに送られる。ＣＵＰユニット３０では、第１テスト信号の受信状態に応じて予備系側の信号線路および各回路の状態を判断し、断線や故障等の発生を検出する。
【００２９】
上記の第１テスト信号を利用した故障検出では、リングネットワーク外に対応した信号線路や各回路の状態は検出されないため、第２テスト信号を利用した故障検出が続けて行われる。この第２テスト信号による故障検出は、第２テスト信号発生回路４７で生成された第２テスト信号がタイムスロット割当回路４２に送られ、挿入側に制御されたサービスセレクタ回路４３−１〜４３−４を介して予備系側の信号線路上に与えられる。そして、第１テスト信号発生・受信回路４５をスルーした第２テスト信号は、ループバックセレクタ回路４６を介してタイムスロット割当回路４２にループバックされ、第２テスト信号受信回路４８で受信されて、その受信状態を示す信号がＣＰＵユニット３０に送られる。ＣＵＰユニット３０では、第２テスト信号の受信状態に応じてリングネットワーク外に対応した予備系側の信号線路および各回路の状態を判断し、断線や故障等の発生を検出する。
【００３０】
上記のようにして光ノード装置ＮＥ＿Ａにおけるスロット２側のスイッチユニットの故障検出が完了すると、次にステップ７において、光ノード装置ＮＥ＿Ａのスイッチユニットの現用系と予備系の切り替えがＣＰＵユニット３０の制御の下で自動的に行われる。そして、現用系から予備系に切り替えられたスロット１側のスイッチユニットの故障検出が、前述したスロット２側のときと同様にして実施される。このとき、光ノード装置ＮＥ＿Ａから光ノード装置ＮＥ＿Ｂに送られる光信号のＴＯＨのＥ２＃２バイトの値はＡ２が設定されることにより（ステップ８）、Ａ２コードを受信した光ノード装置ＮＥ＿Ｂが待機状態を維持するとともに、それ以降の光ノード装置ＮＥ＿Ｃ、ＮＥ＿Ｄも待機状態のままとされる。図８は、上記のステップ７〜８の処理の流れを模式的に示したものである。
【００３１】
上述したステップ１〜ステップ８の処理により光ノード装置ＮＥ＿Ａについてのスイッチユニットの故障検出が完了し、各スロット１、２の正常状態が確認された場合には、ステップ９において、ＴＯＨのＥ２＃２バイトの値がＡ５に設定された光信号が光ノード装置ＮＥ＿Ａから光ノード装置ＮＥ＿Ｂに送られる。光ノード装置ＮＥ＿Ａからの光信号を受信した光ノード装置ＮＥ＿Ｂでは、受信光のＥ２＃２バイトがＡ５になったことを検出すると、ステップ１０において、上述した光ノード装置ＮＥ＿Ａの場合と同様に、スロット２のスイッチユニットの故障検出が開始される。そして、スロット２についての故障検出が完了すると、スイッチユニットの切り替えが行われ、スロット１についての故障検出が実施される。なお、光ノード装置ＮＥ＿Ｂにおける故障検出が行われている間、光ノード装置ＮＥ＿Ｃ、ＮＥ＿Ｄは待機状態のままとされる。図９は、上記のステップ９〜１０の処理の流れを模式的に示したものである。上記のステップ９〜１０の処理により光ノード装置ＮＥ＿Ｂについてのスイッチユニットの正常状態が確認された場合には、以降、光ノード装置ＮＥ＿Ｃ、ＮＥ＿Ｄについての故障検出が、同様の手順に従って順次実施される（ステップ１１）。
【００３２】
そして、光ノード装置ＮＥ＿Ｄについての故障検出が完了してスイッチユニットの正常が確認されると、ステップ１２では、ＴＯＨのＥ２＃２バイトの値がＡ５に設定された光信号が光ノード装置ＮＥ＿Ｄからマスター局である光ノード装置ＮＥ＿Ａに送られる。光ノード装置ＮＥ＿Ｄからの光信号を受信した光ノード装置ＮＥ＿Ａでは、受信光のＥ２＃２バイトがＡ５になったことにより、リングネットワーク上の各ノード装置における故障検出の完了が判断され、ステップ１３において、スイッチユニットの診断状態を解除するためにＴＯＨのＥ２＃２バイトを００コードに設定した光信号が、光ノード装置ＮＥ＿Ａから光ノード装置ＮＥ＿Ｂに送られる。図１０は、上記のステップ１２〜１３の処理の流れを模式的に示したものである。
【００３３】
そして、ステップ１４では、図１１に示すように各光ノード装置ＮＥ＿Ｂ〜ＮＥ＿Ｄが、前段側からの００コードを受信して後段側に００コードを順次送信し、最終的にマスター局の光ノード装置ＮＥ＿Ａで００コードが受信されることによって、リングネットワーク全体におけるスイッチユニットの診断状態が終了する。
なお、リングネットワーク上のいずれかの光ノード装置（ここでは、例えば光ノード装置ＮＥ＿Ｂとする）においてスイッチユニットの故障が検出された場合には、その時点で図１２に示すようにＥ２＃２バイトをＡ４コードに設定した光信号が、光ノード装置ＮＥ＿Ｂから光ノード装置ＮＥ＿Ｃに送られる。そして、光ノード装置ＮＥ＿ＢからのＡ４コードを受信した光ノード装置ＮＥ＿Ｃでは、図１３に示すようにＥ２＃２バイトを００コードに設定した光信号が光ノード装置ＮＥ＿Ｄに送信され、以降、光ノード装置ＮＥ＿Ｄ、ＮＥ＿Ａからも同様にしてＥ２＃２バイトを００コードに設定した光信号が送信される。これにより、スイッチユニットの診断状態が終了して、故障が検出された光ノード装置ＮＥ＿Ｂからは、スイッチユニットの故障発生を知らせる信号がネットワーク保守者等に対して発出される。
【００３４】
上記のようにしてリングネットワーク上の各光ノード装置ＮＥ＿Ａ〜ＮＥ＿Ｄにおけるスイッチユニットの診断が終了すると、次に、各光ノード装置ＮＥ＿Ａ〜ＮＥ＿Ｄのインターフェースユニットおよび予備系光回線の診断が図１４に示す第２のフローチャートに従って実施される。
ここでは、例えば図１５に示すように、光ノード装置ＮＥ＿Ｃ、ＮＥ＿Ｄの間で予備系の光回線を利用したＰＣＡ方式のデータ伝送が行われている場合を想定し、上記の故障検出動作を説明することにする。具体的な設定例として、左回りのリングの現用系に２４波の光チャネルＣＨ１〜ＣＨ２４、予備系に２４波の光チャネルＣＨ２５〜ＣＨ４８が割り当てられ、予備系光チャネルＣＨ２５〜ＣＨ４８のうちの光チャネルＣＨ２５について、光ノード装置ＮＥ＿Ｃ、ＮＥ＿Ｄの間でＰＣＡ方式によるデータ伝送が行われているものとする。
【００３５】
まず、図１４のフローチャートにおけるステップ２１では、マスター局である光ノード装置ＮＥ＿Ａから光ノード装置ＮＥ＿Ｂに向けて、光チャネルＣＨ２５〜ＣＨ４８に対応した予備系光回線にテスト信号がそれぞれ送出される。このテスト信号は、例えば、光ノード装置ＮＥ＿Ａの第２テスト信号発生回路４７からタイムスロット割当回路４２およびサービスセレクタ回路４３−４を介して予備系回線上に送られる第２テスト信号（図４）を用いることが可能である。このとき、前述の図６に示したように、ＴＯＨのＥ２＃２バイトとしてインターフェースユニットのテスト中を示すＢ２コードを設定した光信号が、光ノード装置ＮＥ＿Ａから現用系光回線を介して光ノード装置ＮＥ＿Ｂに送られる。なお、図６の運用例におけるＢ１コードは前段の光ノード装置からＢ４またはＢ５コードが送信させるのを持ち受けている状態を示し、Ｂ４コードはいずれかの予備系光回線についてのテストに失敗したこと（インターフェースユニットの故障または光ファイバ伝送線路の異常）を示し、Ｂ５はすべての予備系光回線のテストに成功したこと（インターフェースユニットおよび光ファイバ伝送線路の正常）を示すものとする。
【００３６】
また、上記ＴＯＨのＥ２＃２バイトと共に、例えば図１６に示すようなＥ２＃２４〜２６バイトを利用することによって、予備系光チャネルＣＨ２５〜ＣＨ４８のうちのどれにテスト信号を挿入しているかの情報が光ノード装置ＮＥ＿Ａから光ノード装置ＮＥ＿Ｂに伝えられる。さらに、予備系光チャネルに挿入されるテスト信号のパスオーバヘッド（ＰＯＨ）のＣ２バイトについて未定義のコードを利用することで、各光チャネルに対応したテスト信号のタイムスロットの割り当てに関する情報が光ノード装置ＮＥ＿Ａから光ノード装置ＮＥ＿Ｂに伝えられる。図１７は、ＳＯＮＥＴ＿ＧＲ―２５３で規定されているＣ２コードの具体例である。この場合、１４項に示した未定義のＡＡコードを使用してテスト信号のマッピングに関する情報が伝達される。
【００３７】
ステップ２２では、光ノード装置ＮＥ＿Ａから予備系回線に送られたテスト信号が光ノード装置ＮＥ＿Ｂで受信される。光ノード装置ＮＥ＿Ｂでのテスト信号の受信は、例えば、第２テスト信号受信回路４８（図４）を利用して行われ、光ノード装置ＮＥ＿Ａから送られてくる光チャネルＣＨ２５〜４８に対応したテスト信号のエラー検出が順次実行される。図１８は、上記ステップ２１〜２２の状態を模式的に示したものである。なお、図１８における光ノード装置ＮＥ＿Ａ内のＰＮは、テスト信号を予備系回線上に送信するための機能ブロックを表し、光ノード装置ＮＥ＿Ｂ内のＤＥＴは、予備系回線上を伝搬したテスト信号を受信するための機能ブロックを表している。上記ステップ２１〜２２において、光ノード装置ＮＥ＿Ａから光ノード装置ＮＥ＿Ｂに対しては、ＴＯＨのＥ２＃２バイトとしてＢ２コード（テスト中）、Ｅ２＃２４〜２６バイトとしてＦＦコード（テスト信号挿入）が送出されると共に、ＰＯＨのＣ２バイトとしてＡＡコードが送出される。また、各光ノード装置ＮＥ＿Ｂ〜ＮＥ＿Ｄから後段の光ノード装置に対しては、ＴＯＨのＥ２＃２バイトとしてＢ１コード（待機中）が送出されると共に、ＴＯＨのＥ２＃２４〜２６バイトおよびＰＯＨのＣ２バイトとして００コード（テスト信号なし）が送出される。このような各光ノード装置ＮＥ＿Ａ〜ＮＥ＿Ｄ間でのオーバヘッド情報の伝達によって、各光ノード装置ＮＥ＿Ｂ〜ＮＥ＿Ｄは待機状態とされる。
【００３８】
光ノード装置ＮＥ＿Ｂにおける各光チャネルＣＨ２５〜４８に対応したテスト信号のエラー検出が完了すると、ステップ２３では、図１９に示すように光ノード装置ＮＥ＿Ａから送出される各々のテスト信号が光ノード装置ＮＥ＿Ｂをスルーして光ノード装置ＮＥ＿Ｃに送られるように、光ノード装置ＮＥ＿Ｂ内の予備系スイッチユニット２０Ｓが切り替え制御される。そして、ステップ２４では、光ノード装置ＮＥ＿Ｃにおいて、光ノード装置ＮＥ＿Ｂを通過した各光チャネルＣＨ２５〜４８に対応するテスト信号のエラー検出が順次実行される。このとき、光ノード装置ＮＥ＿Ｂから光ノード装置ＮＥ＿Ｃに対しては、ＴＯＨのＥ２＃２バイトとしてＢ２コード、Ｅ２＃２４〜２６バイトとしてＦＦコードが送出される。また、ＰＯＨのＣ２バイトとしては、光ノード装置ＮＥ＿Ａで生成されたテスト信号がスルーされるためＡＡコードのままとなる。なお、各光ノード装置ＮＥ＿Ａ、ＮＥ＿Ｃ、ＮＥ＿Ｄから後段の光ノード装置に対して送出されるオーバヘッド情報に関しては前述した状態が維持される。
【００３９】
光ノード装置ＮＥ＿Ｃにおける各光チャネルＣＨ２５〜４８に対応したテスト信号のエラー検出が完了すると、ステップ２５では、図２０に示すように光ノード装置ＮＥ＿Ａから送出され光ノード装置ＮＥ＿Ｂを通過した光チャネルＣＨ２６〜ＣＨ４８に対応する各テスト信号が光ノード装置ＮＥ＿Ｃをスルーして光ノード装置ＮＥ＿Ｄに送られるように、光ノード装置ＮＥ＿Ｃ内の予備系スイッチユニット２０Ｓが切り替え制御される。このとき、光チャネルＣＨ２５に対応するテスト信号については、光ノード装置ＮＥ＿Ｃ、ＮＥ＿Ｄ間でのＰＣＡ方式のデータ伝送に影響を与えないように、光ノード装置ＮＥ＿Ｃ内で終端される。そして、ステップ２６では、光ノード装置ＮＥ＿Ｄにおいて、光ノード装置ＮＥ＿Ｃを通過した各光チャネルＣＨ２６〜４８に対応するテスト信号のエラー検出が順次実行される。なお、光チャネルＣＨ２５に対応したインターフェースユニットおよび光回線の故障検出は、ＰＣＡ光チャネルＣＨ２５のデータ伝送が正常に行われているか否かによって判断される。
【００４０】
上記のステップ２５〜２６において、光ノード装置ＮＥ＿Ｃから光ノード装置ＮＥ＿Ｄに対しては、ＴＯＨのＥ２＃２バイトとしてＢ２コード、Ｅ２＃２４バイトとして７Ｆコード（ＣＨ２５にＰＣＡ信号あり）、Ｅ２＃２５、２６バイトとしてＦＦコード、ＰＯＨのＣ２バイトとしてＡＡコードがそれぞれ送出される。なお、各光ノード装置ＮＥ＿Ａ、ＮＥ＿Ｂ、ＮＥ＿Ｄから後段の光ノード装置に対して送出されるオーバヘッド情報に関しては前述した状態が維持される。
【００４１】
光ノード装置ＮＥ＿Ｄにおける各光チャネルＣＨ２６〜４８に対応したテスト信号のエラー検出が完了すると、ステップ２７では、図２１に示すように光ノード装置ＮＥ＿Ａから送出され光ノード装置ＮＥ＿Ｂ、ＮＥ＿Ｃを通過した光チャネルＣＨ２６〜ＣＨ４８に対応する各テスト信号が光ノード装置ＮＥ＿Ｄをスルーして光ノード装置ＮＥ＿Ａに送られるように、光ノード装置ＮＥ＿Ｄ内の予備系スイッチユニット２０Ｓが切り替え制御される。また、光ノード装置ＮＥ＿Ｄ内で生成されたテスト信号が光チャネルＣＨ２５に対応させて予備系回線上に送出され光ノード装置ＮＥ＿Ａに送られる。そして、ステップ２８では、光ノード装置ＮＥ＿Ａにおいて、光ノード装置ＮＥ＿Ｄから送出された光チャネルＣＨ２５に対応するテスト信号および光ノード装置ＮＥ＿Ｄを通過した各光チャネルＣＨ２６〜４８に対応するテスト信号のエラー検出が順次実行される。このとき、光ノード装置ＮＥ＿Ｄから光ノード装置ＮＥ＿Ａに対しては、ＴＯＨのＥ２＃２バイトとしてＢ２コード、Ｅ２＃２４〜２６バイトとしてＦＦコード、ＰＯＨのＣ２バイトとしてＡＡコードがそれぞれ送出される。なお、各光ノード装置ＮＥ＿Ａ〜ＮＥ＿Ｃから後段の光ノード装置に対して送出されるオーバヘッド情報に関しては前述した状態が維持される。
【００４２】
光ノード装置ＮＥ＿Ａにおける各光チャネルＣＨ２５〜４８に対応したテスト信号のエラー検出が完了すると、ステップ２９では、図２２に示すように各光ノード装置ＮＥ＿Ａ〜ＮＥ＿Ｄのインターフェースユニットおよび予備系光回線のテストに成功したこと（インターフェースユニットおよび予備系光回線が正常な状態にあること）を示すＢ５コードがＴＯＨのＥ２＃２バイトとして光ノード装置ＮＥ＿Ａから光ノード装置ＮＥ＿Ｂに送出される。そして、光ノード装置ＮＥ＿ＡからのＢ５コードを受けた光ノード装置ＮＥ＿Ｂでは、光ノード装置ＮＥ＿Ｃに対してＢ５コードが送出され、以降、各光ノード装置ＮＥ＿Ｃ、ＮＥ＿ＤからもＢ５コードが送出される。
【００４３】
光ノード装置ＮＥ＿ＤからのＢ５コードを光ノード装置ＮＥ＿Ａが受信すると、ステップ３０では、図２３に示すように、光ネットワーク全体のインターフェースユニットおよび予備系光回線の故障検出が完了したことを示す００コードがＴＯＨのＥ２＃２バイトとして光ノード装置ＮＥ＿Ａから光ノード装置ＮＥ＿Ｂに送出される。また、これと同時に光ノード装置ＮＥ＿Ａからのテスト信号の送出が停止される。この光ノード装置ＮＥ＿Ａからの００コードの送出によって、ステップ３１では、００コードを受信した各光ノード装置ＮＥ＿Ｂ〜ＮＥ＿Ｄの予備系診断状態が順次解除される。
【００４４】
上述したように本発明の予備系診断方法を光リングネットワークに適用することによって、現用系運用中でも各光ノード装置内のスイッチユニット２０やインターフェースユニット１０の動作状態や光ノード装置間を接続する予備系光回線の状態を確実に診断することができ、現用系に障害が発生する前に予備系の正常状態を把握しておくことが可能になる。また、任意の光ノード装置に対して診断オペレーションコマンドを与えるだけで、リングネットワーク上のすべての光ノード装置についての故障検出を自動的に行うことができる。よって、冗長構成を有する光リングネットワークにおける障害発生時の回線救済を確実かつ容易に実現することができるようになり、光リングネットワークの信頼性向上を図ることが可能になる。さらに、ＰＣＡ方式によるデータ伝送が行われている場合でも、運用中のＰＣＡ回線を中断させることなく予備系光回線の状態を診断することができるため、大容量のデータ伝送の実現も可能である。
【００４５】
なお、上述した実施形態では、現用系および予備系にそれぞれ２４波の光チャネルを割り当てるようにした一例について説明したが、本発明における光チャネルの割り当ては上記の一例に限定されるものではなく、例えば、ＳＯＮＥＴ等に規定されているような様々な光チャネルの割り当てに本発明を応用することが可能である。また、左回りのリングについての動作説明を行ったが、右回りのリングにつての動作も左回りと同様にして考えることができる。さらに、複数の光ノード装置間を２本の光ファイバ伝送線路によりリング状に接続した２Ｆ−ＢＬＳＲ型のネットワーク構成を例示したが、本発明の予備系診断方法の適用範囲は２Ｆ−ＢＬＳＲ型の光リングネットワークに限定されるものではなく、公知の構成の光リングネットワークに対して本発明を適用することが可能である。
【００４６】
以上、本明細書で開示した主な発明について以下にまとめる。
【００４７】
（付記１）現用系ユニットおよび予備系ユニットからなる冗長構成を有する複数の光伝送装置を備え、該複数の光伝送装置のうちの隣り合う光伝送装置の間を、現用系光チャネルおよび予備系光チャネルが伝搬可能な複数の光伝送路を用いて相互に接続してリング状の光通信網を形成した光リングネットワークについて、前記各光伝送装置間のデータ伝送を前記現用系光チャネルを用いて運用している間に、前記予備系光チャネルを用いたデータ伝送が正常に行えるか否かを診断するための予備系診断方法であって、
前記複数の光伝送装置のうちのいずれか１つの光伝送装置に対して予備系診断を開始させるための指令を与え、
該指令の与えられた光伝送装置は、運用中のデータ信号とは異なる擬似信号を自装置内で生成し、該擬似信号を自装置内の予備系ユニットに与え、当該擬似信号の伝送状態を基に前記予備系ユニットが正常に動作しているか否かを検出し、その検出結果を示す情報を運用中の現用系光チャネルの所定領域を利用して下流側の光伝送装置に伝達し、
該下流側の光伝送装置は、前記現用系光チャネルの所定領域のデータに応じて、上流側の光伝送装置の予備系ユニットが正常に動作していることを確認した後、自装置内で前記擬似信号を生成し、該擬似信号を自装置内の予備系ユニットに与え、当該擬似信号の伝送状態を基に前記予備系ユニットが正常に動作するか否かを検出し、その検出結果に対応させて前記運用中の現用系光チャネルの所定領域のデータを更新してさらに下流側の光伝送装置に伝達し、
前記指令の与えられた光伝送装置は、リングネットワークを一周した前記現用系光チャネルの所定領域のデータに応じて、リングネットワーク上のすべての光伝送装置の予備系ユニットの正常動作を確認し、予備系診断の終了を示す情報を出力することを特徴とする光リングネットワークの予備系診断方法。
【００４８】
（付記２）付記１に記載の予備系診断方法であって、
前記複数の光伝送装置は、それぞれ、隣り合う光伝送装置の一方の側に繋がる光伝送路が接続される第１インターフェースユニットと、隣り合う光伝送装置の他方の側に繋がる光伝送路が接続される第２インターフェースユニットと、該第１および第２インターフェース部の間で伝達される現用系光チャネルおよび予備系光チャネルの切り替えを行う現用系スイッチユニットおよび予備系スイッチユニットと、該現用系および予備系スイッチユニットの切り替え動作を制御する制御ユニットと、前記擬似信号を送信する擬似信号送信手段と、前記擬似信号を受信する擬似信号受信手段と、を備え、前記予備系診断時には、前記擬似信号送信手段から送信される擬似信号が前記予備系スイッチユニット内を通って前記擬似信号受信手段で受信され、該擬似信号の受信状態に応じて前記予備系スイッチユニットが正常に動作するか否かが検出されることを特徴とする光リングネットワークの予備系診断方法。
【００４９】
（付記３）付記２に記載の予備系診断方法であって、
前記複数の光伝送装置は、リングネットワーク外に繋がる光伝送路が接続される第３インターフェースユニットを備え、前記現用系および予備系スイッチユニットは、前記第１〜第３インターフェースユニットの間で伝達される現用系光チャネルおよび予備系光チャネルの切り替えを行い、前記予備系診断時には、前記擬似信号が前記予備系スイッチユニット内の前記第３インターフェースに対応した信号伝達経路にも送られることを特徴とする光リングネットワークの予備系診断方法。
【００５０】
（付記４）付記１に記載の予備系診断方法であって、
前記運用中の現用系光チャネルの所定領域は、トランスポートオーバヘッドに含まれる未使用のデータ領域としたことを特徴とする光リングネットワークの予備系診断方法。
【００５１】
（付記５）付記２〜４のいずれか１つに記載の予備系診断方法であって、
前記指令の与えられた光伝送装置は、リングネットワーク上のすべての光伝送装置の予備系スイッチユニットの正常動作を確認した後、前記擬似信号送信手段で生成した擬似信号を前記予備系光チャネルを利用して下流側の光伝送装置に送出すると共に、該送出した擬似信号に関する情報を運用中の現用系光チャネルの所定領域を利用して下流側の光伝送装置に伝達し、
該下流側の光伝送装置は、前記現用系光チャネルの所定領域のデータに応じて、上流側の光伝送装置から予備系光チャネルを用いて送られる擬似信号を受信し、該擬似信号の受信状態に基づいて、前記上流側の光伝送装置との間の予備系光チャネルに対応したインターフェースユニットおよび光伝送路が正常な状態にあるか否かを検出し、その検出結果に対応させて前記運用中の現用系光チャネルの所定領域のデータを更新してさらに下流側の光伝送装置に伝達し、
前記指令の与えられた光伝送装置は、リングネットワークを一周した前記現用系光チャネルの所定領域のデータに応じて、リングネットワーク上のすべての光伝送装置間の予備系光チャネルに対応したインターフェースユニットおよび光伝送路の正常状態を確認し、予備系診断の終了を示す情報を出力することを特徴とする光リングネットワークの予備系診断方法。
【００５２】
（付記６）付記５に記載の予備系診断方法であって、
前記複数の光伝送装置は、現用系運用中に前記予備系光チャネルの一部を利用してデータ伝送を行っているとき、当該予備系光チャネルを除いた他の予備系光チャネルを利用して前記擬似信号を下流側の光伝送装置に送出すると共に、該擬似信号の送出に用いる予備系光チャネルに関する情報を予備系光チャネルの所定領域を利用して下流側の光伝送装置に伝達することを特徴とする光リングネットワークの予備系診断方法。
【００５３】
（付記７）付記６に記載の予備系診断方法であって、
前記予備系光チャネルの所定領域は、パスオーバヘッドに含まれる未使用のデータ領域としたことを特徴とする光リングネットワークの予備系診断方法。
【００５４】
（付記８）付記１〜７のいずれか１つに記載の予備系診断方法を用いた光リングネットワーク。
【図面の簡単な説明】
【００５５】
【図１】本発明による予備系診断方法が適用される光リングネットワークの一実施形態を示す構成図である。
【図２】図１の光リングネットワークにおける光ノード装置のユニット構成を例示した図である。
【図３】図２の光ノード装置に関する具体的な機能ブロック図である。
【図４】図２の光ノード装置に用いられるスイッチユニットの具体的な構成例を示す図である。
【図５】図１の光リングネットワーク全体における予備系診断の流れを示す第１のフローチャートである。
【図６】本発明の予備系診断に利用されるＴＯＨのＥ２＃２バイトの具体的な運用例をまとめた図である。
【図７】図５におけるステップ１〜６の処理の流れを模式的に示した図である。
【図８】図５におけるステップ７〜８の処理の流れを模式的に示した図である。
【図９】図５におけるステップ９〜１０の処理の流れを模式的に示した図である。
【図１０】図５におけるステップ１２〜１３の処理の流れを模式的に示した図である。
【図１１】図５におけるステップ１４の処理の流れを模式的に示した図である。
【図１２】スイッチユニットの故障が検出された場合の処理の流れを模式的に示した第１の図である。
【図１３】スイッチユニットの故障が検出された場合の処理の流れを模式的に示した第２の図である。
【図１４】図１の光リングネットワーク全体における予備系診断の流れを示す第２のフローチャートである。
【図１５】図１の光リングネットワークにおけるＰＣＡ方式によるデータ伝送の一例を示す図である。
【図１６】本発明の予備系診断に利用されるＴＯＨのＥ２＃２４〜２６バイトを説明する図である。
【図１７】本発明の予備系診断に利用されるＰＯＨのＣ２コードの具体例を示す図である。
【図１８】図１４におけるステップ２１〜２２の状態を模式的に示した図である。
【図１９】図１４におけるステップ２３〜２４の状態を模式的に示した図である。
【図２０】図１４におけるステップ２５〜２６の状態を模式的に示した図である。
【図２１】図１４におけるステップ２７〜２８の状態を模式的に示した図である。
【図２２】図１４におけるステップ２９の状態を模式的に示した図である。
【図２３】図１４におけるステップ３０〜３１の状態を模式的に示した図である。
【符号の説明】
【００５６】
１０、１０Ｅ、１０Ｗ…インターフェースユニット
１１Ｅ、１１Ｗ…受信インターフェース部（ＩＦ−Ｒｘ）
１２Ｅ、１２Ｗ…送信インターフェース部（ＩＦ−Ｔｘ）
１３…セレクタ
２０、２０Ａ、２０Ｂ…スイッチユニット
２１…信号処理回路
３０…ＣＰＵユニット
３１…ＣＰＵバス
４１…スイッチ回路（ＳＷ）
４２…タイムスロット割当回路
４３−１〜４３−４…サービスセレクタ（ＳＳ）
４４−１、４４−２…ブリッジ回路（ＢＲ）
４５…第１テスト信号発生・受信回路
４６…ループバックセレクタ回路
４７…第２テスト信号発生回路
４８…第２テスト信号受信回路
４９…Ｃ２バイトモニタ回路
ＮＥ＿Ａ〜ＮＥ＿Ｄ…光ノード装置
【図１】
2005217904.tif 000003
【図２】
2005217904.tif 000004
【図３】
2005217904.tif 000005
【図４】
2005217904.tif 000006
【図５】
2005217904.tif 000007
【図６】
2005217904.tif 000008
【図７】
2005217904.tif 000009
【図８】
2005217904.tif 000010
【図９】
2005217904.tif 000011
【図１０】
2005217904.tif 000012
【図１１】
2005217904.tif 000013
【図１２】
2005217904.tif 000014
【図１３】
2005217904.tif 000015
【図１４】
2005217904.tif 000016
【図１５】
2005217904.tif 000017
【図１６】
2005217904.tif 000018
【図１７】
2005217904.tif 000019
【図１８】
2005217904.tif 000020
【図１９】
2005217904.tif 000021
【図２０】
2005217904.tif 000022
【図２１】
2005217904.tif 000023
【図２２】
2005217904.tif 000024
【図２３】
2005217904.tif 000025